(57)【要約】【課題】頭部装着型表示装置の携帯性や装着性を阻害することなく画像調整を行うことができる頭部装着型表示システムを提供する。【解決手段】信号処理装置３は映像信号出力装置４から出力される映像信号の処理部３ａを有する。信号処理装置３により処理された映像信号に対応する画像が頭部装着型表示装置Ｈにより表示される。信号処理装置３に、頭部装着型表示装置Ｈによって表示される画像の調整信号を出力するコンピュータ４との接続用インターフェース１５と、その調整信号に応じて頭部装着型表示装置Ｈにより表示される画像が調整されるように処理部３ａを制御する制御部３ｂとが設けられる。【選択図】図２
2005128301.tif 000002
【特許請求の範囲】
【請求項１】
頭部装着型表示装置と、
映像信号出力装置から出力される映像信号の処理部を有する信号処理装置とを備え、
前記信号処理装置により処理された映像信号に対応する画像が前記頭部装着型表示装置により表示される頭部装着型表示システムにおいて、
前記信号処理装置に、コンピュータとの接続用インターフェースと、前記処理部を制御する制御部とが設けられ、
前記コンピュータにより、前記頭部装着型表示装置によって表示される画像の調整信号が出力され、
前記制御部により、前記調整信号に応じて前記頭部装着型表示装置の表示画像が調整されるように前記処理部が制御されることを特徴とする頭部装着型表示システム。
【請求項２】
前記信号処理装置と前記コンピュータとの間の前記インターフェースを介する前記調整信号の伝送を断接する手動操作スイッチを備える請求項１に記載の頭部装着型表示システム。
【請求項３】
前記コンピュータにより前記頭部装着型表示装置の駆動用電力が出力され、
前記駆動用電力が前記インターフェースを介して前記頭部装着型表示装置に供給されるように、前記信号処理装置と前記コンピュータとの前記インターフェースを介する接続は、前記調整信号の伝送ラインと前記駆動用電力の供給ラインを含むケーブルによりなされる請求項１または２に記載の頭部装着型表示システム。
【請求項４】
前記コンピュータにおける入力装置の操作に応じて前記調整信号が出力され、
前記コンピュータが前記映像信号出力装置を兼用し、前記頭部装着型表示装置により前記調整信号による画像調整内容が表示可能とされている請求項１〜３の中の何れかに記載の頭部装着型表示システム。
【請求項５】
前記コンピュータにおける入力装置の操作に応じて前記調整信号が出力され、
前記コンピュータにおける表示部により前記調整信号による画像調整内容が表示可能とされている請求項１〜３の中の何れかに記載の頭部装着型表示システム。
【発明の詳細な説明】
【技術分野】
【０００１】
本発明は、ＴＶ映像や作業指示のための各種画像等を頭部装着型表示装置により表示させるための頭部装着型表示システムであって、例えばノート型コンピュータやウエアラブルコンピュータ等のコンピュータに接続されて使用されるものに関する。
【背景技術】
【０００２】
頭部装着型表示システムにおいては、コンピュータや録画装置等の映像信号出力装置から出力される映像信号を信号処理装置により頭部装着型表示装置に適応するように処理し、その処理された映像信号に対応する画像を頭部装着型表示装置により表示している。そのような映像信号出力装置から出力される映像信号には、映像信号出力装置の機種や個体ごとにバラつきがあることから、表示画像に位置ずれやジッタによる形状の歪み等が発生する。これに対処するため、頭部装着型表示装置自体に画像調整用のスイッチを設け、そのスイッチ操作に応じて出力される調整信号に応じて信号処理装置を制御することで、表示画像の表示位置や形状等の設定を変更し、表示画像を調整することが行われている。そのスイッチ操作に際して、頭部装着型表示装置の画面に調整信号による画像調整内容を表す画像を表示する機能(OSD;On Screen Display) が設けられている。また、そのようなスイッチ操作による画像調整機能を設けることなく、画像の自動調整回路を設けたものもある。
【発明の開示】
【発明が解決しようとする課題】
【０００３】
頭部装着型表示装置自体に画像調整用のスイッチを設けた場合、装置のサイズや重量が大きくなって携帯性や装着性が悪くなる。また、画像の自動調整回路を設けた場合、装置のサイズや重量が大きくなるだけでなく消費電力が増加するためにバッテリでの駆動可能時間が短くなり、大容量のバッテリを用いると装置重量が増加し、さらに使用者の好みに応じて画像を調整することもできない。本発明はこのような問題を解決することのできる頭部装着型表示装置を提供することを目的とする。
【課題を解決するための手段】
【０００４】
本発明は、頭部装着型表示装置と、映像信号出力装置から出力される映像信号の処理部を有する信号処理装置とを備え、前記信号処理装置により処理された映像信号に対応する画像が前記頭部装着型表示装置により表示される頭部装着型表示システムにおいて、前記信号処理装置に、コンピュータとの接続用インターフェースと、前記処理部を制御する制御部とが設けられ、前記コンピュータにより、前記頭部装着型表示装置によって表示される画像の調整信号が出力され、前記制御部により、前記調整信号に応じて前記頭部装着型表示装置の表示画像が調整されるように前記処理部が制御されることを特徴とする。
本発明によれば、コンピュータから出力される調整信号に応じて頭部装着型表示装置により表示される画像が調整されるので、頭部装着型表示装置自体に画像調整用のスイッチを設ける必要がなく、装置のサイズや重量が大きくなることはない。
【０００５】
前記信号処理装置と前記コンピュータとの間の前記インターフェースを介する前記調整信号の伝送を断接する手動操作スイッチを備えるのが好ましい。これにより、画像調整を行わない時の電力消費を低減できる。
【０００６】
前記コンピュータにより前記頭部装着型表示装置の駆動用電力が出力され、前記駆動用電力が前記インターフェースを介して前記頭部装着型表示装置に供給されるように、前記信号処理装置と前記コンピュータとの前記インターフェースを介する接続は、前記調整信号の伝送ラインと前記駆動用電力の供給ラインを含むケーブルによりなされるのが好ましい。これにより、コンピュータから出力される電力により頭部装着型表示装置を駆動し、且つ、その電力の供給と画像調整信号の伝送を同一のインターフェースとケーブルを介して行うことができるので、専用の電源が不要になり、しかも構造が簡単化されて小型軽量化を図ることができる。電力の供給と画像調整信号の伝送を同一インターフェースと同一ケーブルを介して行う上では、例えばＵＳＢ規格やＩＥＥＥ１３９４規格等に合致したシリアル伝送方式のデータ通信を行うためのインターフェースやケーブルを用いるのが好ましい。
【０００７】
前記コンピュータにおける入力装置の操作に応じて前記調整信号が出力され、前記コンピュータが前記映像信号出力装置を兼用し、前記頭部装着型表示装置により前記調整信号による画像調整内容が表示可能とされているのが好ましい。あるいは、前記コンピュータにおける入力装置の操作に応じて前記調整信号が出力され、前記コンピュータにおける表示部により前記調整信号による画像調整内容が表示可能とされているのが好ましい。これにより、コンピュータにインストールされる画像調整用ソフトウェアに基づき、頭部装着型表示装置の使用者の見やすいように画像を調整することができる。さらに、そのコンピュータが映像信号出力装置を兼用し、頭部装着型表示装置により調整信号による画像調整内容が表示可能とされることで、頭部装着型表示装置により調整信号による画像調整内容を視認しつつ画像調整を行うことができ、容易に画像調整を行うことができる。
【発明の効果】
【０００８】
本発明によれば、頭部装着型表示装置の携帯性や装着性を阻害することなく、シンプルな構造で消費電力を抑制しつつ画像調整を容易に行うことができる。
【発明を実施するための最良の形態】
【０００９】
図１に示す頭部装着型表示システムにおける頭部装着型表示装置Ｈは、使用者の両側頭部と前頭部に沿うバンド状のホルダ１に、左右いずれかの眼上に配置される表示ユニット２が取り付けられている。表示ユニット２は、例えば液晶表示器と光学系とにより構成され、液晶表示器から出射される表示画像に対応する画像表示光が光学系により使用者の目に導かれる。なお、ホルダ１や表示ユニット２の形態は特に限定されず、例えばホルダ１をヘルメット状としたり、眼鏡に着脱されるクリップ状としてもよいし、表示ユニット２を両眼に画像を視認させるものとしてもよい。表示ユニット２に映像信号出力装置を兼用するノート型パーソナルコンピュータ４が信号処理装置３を介して接続される。
【００１０】
図２に示すように、信号処理装置３は、コンピュータ４から出力される映像信号の処理部３ａを備える。処理部３ａは、コンピュータ４に映像信号伝送用の第１ケーブル５を介して接続されるビデオレシーバ１０を有する。ビデオレシーバ１０は、ＣＰＵにより構成される制御部３ｂにより制御されることで映像信号を処理する演算素子と、表示ユニット２の画面表示データを格納するメモリを有し、その演算素子による映像信号の処理により画面表示データのメモリへの書き込みと読み出しを行う。ビデオレシーバ１０から出力される画面表示データに対応する信号は、制御部３ｂにより制御される表示素子ドライバ１１により表示ユニット２における表示素子２ａの駆動信号に変換される。ビデオレシーバ１０および表示素子ドライバ１１による映像信号の処理は、頭部装着型表示装置Ｈの画面における表示画像の形状、表示位置、明度、コントラスト等が設定されたものとなるように行われる。その駆動信号はケーブルドライバ１２によってケーブル伝送用信号に変調され、第２ケーブル６を介して表示ユニット２に伝送され、表示ユニット２においてケーブルレシーバ１３によって複調され、表示素子２ａを駆動する。これにより、信号処理装置３により処理された映像信号に対応する画像が頭部装着型表示装置Ｈにより表示される。
【００１１】
信号処理装置３はコンピュータ４との接続用インターフェース１５を有し、このインターフェース１５に接続される第３ケーブル７を介してコンピュータ４に接続される。コンピュータ４は、頭部装着型表示装置Ｈによって表示される画像の調整信号を第３ケーブル７を介して出力する。その調整信号に応じて制御部３ｂが処理部３ａを制御することで、頭部装着型表示装置Ｈにより表示される画像が調整される。すなわち、その調整により画像の形状、表示画面における画像の位置、画像の明度、コントラスト等の設定が初期設定されたものから変更される。制御部３ｂに手動操作スイッチ１７とＬＥＤ等の発光素子１８が接続される。スイッチ１７の操作により、信号処理装置３とコンピュータ４との間のインターフェース１５を介する調整信号の伝送が断接される。発光素子１８は調整信号の伝送状態で点灯され、伝送切断状態で消灯される。
【００１２】
コンピュータ４に、頭部装着型表示装置Ｈによる表示画像の調整用ソフトウェアがインストールされ、コンピュータ４におけるキーボードやマウス等の入力装置４ａの操作に応じて、第３ケーブル７を介して調整信号が出力される。その調整信号による画像調整内容は頭部装着型表示装置Ｈにより表示可能とされている。これにより、頭部装着型表示装置Ｈを装着した使用者が画像調整内容と映像信号による表示画像とを視認しつつ、入力装置４ａを操作することで使用者の見やすいように所望の画像調整を容易に行うことができる。なお、その調整信号による画像調整内容をコンピュータ４における表示部４ｂにより表示可能としてもよい。
【００１３】
コンピュータ４は頭部装着型表示装置Ｈの駆動用電力を出力するものとされ、その駆動用電力がインターフェース１５を介して頭部装着型表示装置Ｈに供給されるように、第３ケーブル７は調整信号の伝送ラインと駆動用電力の供給ラインを含む。すなわち、電力の供給と画像調整信号の伝送が同一インターフェース１５と同一ケーブル７を介して行われる。本実施形態のインターフェース１５と第３ケーブル７はＵＳＢ規格に合致したものとされるが、これに限定されるものではない。
【００１４】
上記実施形態によれば、コンピュータ４から出力される調整信号に応じて頭部装着型表示装置Ｈにより表示される画像が調整されるので、頭部装着型表示装置Ｈ自体に画像調整用のスイッチを設ける必要がなく、装置のサイズや重量が大きくなることはない。画像調整を行わない時はスイッチ１７の操作により調整信号の伝送を切断でき、電力消費を低減できる。コンピュータ４から出力される電力により頭部装着型表示装置Ｈを駆動し、且つ、その電力の供給と画像調整信号の伝送を同一のインターフェース１５とケーブル７を介して行うことができるので、専用の電源が不要になり、しかも構造が簡単化されて小型軽量化を図ることができる。
【００１５】
本発明は上記実施形態に限定されない。例えば、信号処理装置３は頭部装着型表示装置Ｈにケーブルを介することなく一体的に連結されてもよい。信号処理装置３が画像の自動調整回路を併せ持っていてもよい。コンピュータ４から出力される映像信号はアナログ信号でもデジタル信号でもよく、アナログ信号の場合は信号処理装置３におけるビデオレシーバ１０等にＡＤコンバータの機能を具備させればよい。映像信号出力装置はノート型パーソナルコンピュータ４に限定されず、例えばウェアラブルコンピュータや、コンピュータ４とは別個独立の例えばテレビ用NTSC信号を出力する録画装置であってもよい。映像信号出力装置がコンピュータ４とは別個独立のものである場合、調整信号による画像調整内容は表示部４ｂにより表示すればよい。
【図面の簡単な説明】
【００１６】
【図１】本発明の実施形態の頭部装着型表示装置の外観図
【図２】本発明の実施形態の頭部装着型表示装置の構成説明用ブロック図
【符号の説明】
【００１７】
Ｈ  頭部装着型表示装置
３  信号処理装置
３ａ  処理部
３ｂ  制御部
４  コンピュータ（映像信号出力装置）
４ａ  入力装置
４ｂ  表示部
７  第３ケーブル
１５  インターフェース
１７  手動操作スイッチ
【図１】
2005128301.tif 000003
【図２】
2005128301.tif 000004